(57)【要約】【課題】接触トラブルが無いイカ針保持、ハリス切れが無いイカ針遠投、し掛けセット状態の安全な保管や移動、を可能にした針保持部を有する釣りし掛け収納台を提供する事。【課題を解決する手段】本発明の針保持部を有する釣りし掛け収納台は、船べり１上面に取付ける基台２の船べり外側を向く一端に設けられた帯状の板４の船べり外側を向く一端に、内側に向かって狭幅となる複数の切込み５が設けられて、イカ針１０，１１の傘状の針部を掛けて保持し、或いは、更に、前記切込み５に連続する狭幅スリット６が設けられて、イカ針以外の針８，９は、ハリスを通過させるが針結び目は阻む、前記狭幅スリット６の最奥部下縁へぶら下げ保持する。釣り人は、前記の何れかの針保持をした後、糸を張りつつ、前記基台の船べり内側に向かう一端に平行して設けられた糸保持部に狭持する。結果、イカ針１０，１１は、基台上面に順序良く並列保持され、かつ、針が投入方向に開口する切込み５に掛けられているだけで離脱し易く、ハリス切れが無いイカ針遠投を可能にして、課題を解決する。【選択図】図４Ｂ
2006042773.tif 000002
【特許請求の範囲】
【請求項１】
船べり上面に取付ける基台の船べり外側を向く一端または前記一端に設けられた帯状の板の船べり外側を向く一端に、内側に向かって狭幅となる切込みが複数設けられてなるか、又は、前記の複数の切込みに連続して狭幅スリットが設けられてなるか、或いは、前記基台または前記帯状の板に設けられた前記狭幅スリットの上縁が基台の船べり外側方向に下り勾配にされているもの及び／又は前記基台または前記帯状の板に設けられた前記狭幅スリットの下縁が基台の船べり外側方向に上り勾配にされているもの、或いは、前記の切込み又は狭幅スリットを有する帯状の板が基台の船べり外側方向に下り勾配にされることと基台上面方向に立てられることの何れかを選択可能にする手段が設けられてなるもの、を特徴とする針保持部を有する釣りし掛け収納台
【請求項２】
船べり上面に取付ける基台の船べり外側を向く一端または前記一端に設けられた帯状の板の船べり外側を向く一端に、船べり外側方向を向く先端が細くされた棒状の突起が配列されてなるもの、或いは、船べり外側方向を向く植毛がされてなるもの、を特徴とする針保持部を有する釣りし掛け収納台
【請求項３】
し掛けセット済みの針保持部を覆うカバーと余り糸を一括保持するクリップ、そして、前記クリップと前記カバーを連結するロープが付加されてなる釣りし掛け収納台の針保持部保護具
【発明の詳細な説明】
【技術分野】
【０００１】本発明は、釣りし掛け収納台に関する技術分野に属する。
【背景技術】
【０００２】  海釣りは、対象とする魚種に適した釣り針を吹流し状に複数連結した、し掛けの上部または末端に重りを付けて投入する。釣りし掛け収納具は、従来、イカ針用が知られているが、イカ針、エサつき針、ギジ針なと、様々な針が収納可能な、汎用性を謳った収納具は、殆んど、紹介されていない。更に、また、し掛け投入時、エサ落ちをしない投入と、エサを付けないイカ針等の遠投が、共に可能な、し掛け収納具は無いに等しく、本発明の針保持部を有する釣りし掛け収納台の特願と同じ出願人による平成１４年１２月１０日付け提出の特願２００２−３８３０８５が少ない出願例である。前記特願２００２−３８３０８５の針保持は、船縁り上面に取付ける基台の船縁り外側を向く一端を折り曲げるか或いは折り曲げないで設ける帯状部分、又は、前記基台の船縁り外側を向く一端に平行して前記基台の船縁り外側に取付ける帯状の板が、分割されて並列する方形部分に、前記方形部分毎の船縁り外側から該方形部分の中央に向かって狭幅となる切込みと該切込みに連続する狭幅スリット又は切れ目が設けられ、かつ、前記方形部分毎の下方の空間で、該空間の船縁り外側と船縁り下側を向く面は開口し、残る三方が壁で囲まれてなり、該切込みに針をぶら下げ保持する狭幅スリット又は切れ目を設けてなることを特徴とする。前記狭幅スリットまたは切れ目は、ハリスを通過させるが、針結び目の通過は阻む形状にして、別に設ける糸保持部に挟持されるハリスの張力によって、針をぶら下げ保持する。前記の狭幅スリットは、プラスチックやステンレスを素材に用いる場合で、耐久性なとに優れ、最善の解決策である。他方、前記の切れ目を設ける場合は、弾性があるゴム等を素材にして実施可能である。前記切込みはハリスを前記狭幅スリットに誘導し易くする目的、前記の三方を囲む壁はぶら下げられた針同士の接触を防ぐ目的で付加されている。更に、前記特願２００２−３８３０８５の針保持は、前記方形部分毎の狭幅スリット最奥部から船縁り外側に向かう上面、または、前記方形部分毎の全上面が、船縁り外側に向かって下り勾配にされる、及び／又は、前記狭幅スリット最奥部を起点に前記切込みに向かうＶ字谷状の斜面が設けられたことを特徴とする。前記の特徴は、し掛け途中に連結金具がある場合も、前記狭幅スリット上面からの前記連結金具の滑らかな離脱を達成して、エサ落ちが無い投入を可能にする。前記特願２００２−３８３０８５針保持部は、形状様々な針保持、針を直接持たない安全な作業、針保持と糸保持が連続動作で簡単、船べり外側の安全保持、エサ落ちしない滑らかな投入、重りの投入角度が高く無いイカ針遠投、等が可能な、優れた汎用釣りし掛け収納台を提供する。しかし、前記特願２００２−３８３０８５針保持部は、最近、普及しつつある直結式イカし掛けの場合、針と糸を平行してぶら下げ保持せざるを得ず、隣同士がからんで使用不可能、また、従来のブランコ式イカし掛けの場合、強風時、ぶら下げ保持されたイカ針が揺れて隣同士が接触し易い。また、重りの投入角度が高い場合、針が離脱しにくく、ハリス切れする、等の短所を有する。尚、針や糸は、投入時、離脱し易くなければならないが、投入時以外に、外れては危険である。針や糸を収納���にセットしたまま保ち、安全な保管や移動が可能な、釣りし掛け収納台は、殆んど紹介されていない。以上まとめると、接触トラブルが無いイカ針保持、ハリス切れが無いイカ針遠投、そして、し掛けをセットしたままの安全な保管や移動が可能な、より優れた、汎用性を有する釣りし掛け収納台が望まれる。
【発明の開示】
【発明が解決しようとする課題】
【０００３】本発明の針保持部を有する釣りし掛け収納台の課題は、接触トラブルが無いイカ針保持、ハリス切れが無いイカ針遠投、し掛けセット状態の安全な保管や移動、を可能にする、汎用性に優れた、釣りし掛け収納台を提供することである。具体的には、以下の３点を解決することである。
【課題１】
【０００４】課題１は、直結し掛けを含む、接触トラブルが無いイカ針保持、を可能にすることである。
【課題２】
【０００５】課題２は、重りの投入角度が高い場合でも、ハリス切れが無いイカ針遠投、を可能にすることである。
【課題３】
【０００６】課題３は、保持された針と余り糸をまとめて保護し、し掛けセット時の収納台の安全性と移動性を高めることである。
【発明の目的】
【０００７】本発明の目的は、前記課題１，２，３を解決し、汎用性に優れた、釣りし掛け収納台を提供することにある。
【課題を解決するための手段】
【０００８】前記課題１，２，３は、汎用性を有する釣りし掛け収納台に対する、より望ましい機能の追加ないし改善である。本発明の針保持部を有する釣りし掛け収納台は、前記特願２００２−３８３０８５が有する、優れた機能を損なわずに、前記課題１，２，３を解決することが手段となる。
【課題１と課題２を解決する為の手段１】
【０００９】本発明の針保持部を有する釣りし掛け収納台は、船べり上面に取付ける基台の船べり外側を向く一端または前記一端に設けられた帯状の板の船べり外側を向く一端に、内側に向かって狭幅となる切込みが複数設けられて、課題１と課題２を解決する。
【００１０】
【０００９】項記載の本発明の針保持部を有する釣りし掛け収納台は、前記切込みにイカ針を掛けて、針保持することを可能にする。前記基台または前記帯状の板のほぼ幅一杯に、Ｖ字型切込み又は外膨らみ型切込み又は内膨らみ型切込みが、互いに近接して設けられ、該切込み開口部の先縁が、厚さ；３ミリメートル以内かつ角が取られるなとして、イカ針を掛け易くかつ離脱し易い形状にして設けられる。釣り人は、直結式し掛けとブランコ式し掛けに拘わらず、イカ針後端に結ばれているハリスを持ってぶら下げ、イカ針前端の傘状の針部を前記切込みに掛けた後、ハリスを張りながら、前記基台の船べり内側に向かう一端に平行して設けられた糸保持部に挟持する。結果、イカ針は、基台上面で、互いに触れること無く、並列して保持される。該イカ針は、前記切込みに掛けられているだけであり、重りの投入角度が高い場合でも、離脱し易く、ハリス切れが無い遠投を可能にする。上記解決策は、課題１と課題２を解決する。尚、上記解決策は、前記特願２００２−３８３０８５針保持部では可能であった、イカ針以外の針保持を不可能にするが、その他の優れた機能は損なうことが無く、イカ直結式し掛けとブランコ式し掛けに、対応自在な、従来に無い、優れた釣りし掛け収納台を提供する。
【課題１と課題２を解決する為の手段２】
【００１１】本発明の針保持部を有する釣りし掛け収納台は、船べり上面に取付ける基台の船べり外側を向く一端または前記一端に設けられた帯状の板の船べり外側を向く一端に、内側に向かって狭幅となる切込みが複数設けられ、更に、前記の複数の切込みに連続して狭幅スリットが設けられて、課題１と課題２を解決する。
【００１２】前記の切込みは、
【００１０】項で記載した形状と同様の形状で設けて、
【００１０】項記載と同じ、イカ針の保持と遠投を可能にする。一方、前記切込みに連続して設けられる狭幅スリットは、イカ針以外の針保持を可能にする。前記狭幅スリットは、ハリスを自由に通過させるが、該狭幅スリットの最奥部下縁で針結び目の通過を阻む幅とし、かつ、連結金具なとが該狭幅スリット上縁を離脱し易いよう最短で設け、更に、ハリスを該狭幅スリット最奥部に誘導しやすいよう、前記切込みに滑らかに連続させて設ける。釣り人は、イカ針以外の釣りをする場合、ハリスを持って針をぶら下げ、前記切込み開口部から狭幅スリットへと誘導し、ハリスを張りつつ、前記基台の船べり内側に向かう一端に平行して設けられた糸保持部に挟持する。結果、針は、該狭幅スリット最奥部下縁に、ぶら下げ保持され、エサや連結金具を伴う場合でも、最少の衝撃で離脱する。以上は、課題１と課題２の解決に加えて、イカ針以外の針保持とエサ落ちしない投入を可能にする。また、以上は、前記特願２００２−３８３０８５の優れた機能を損なわずに、課題１と課題２を解決する。
【００１３】尚、
【０００２】項記載の特願２００２−３８３０８５は、針同士の接触を防ぐ目的で、ぶら下げられた針の三方を囲む壁が設けられるが、イカ針をぶら下げ保持しない、本発明の針保持部を有する釣りし掛け収納台は、前記の壁を省略可能にする。前記の壁が省略可能になった、本発明の針保持部を有する釣りし掛け収納台は、前記の切込み開口幅をイカ針の針部より小さくし、該切込みの先端に、針保持することが可能になる。開口幅が小さい切込みを密に設ける方法は、針保持の自由度が増し、針の大小やエサの有無に応じた保持間隔が可能になる等の利点が得られる。この場合の切込み開口幅は、１０数ミリメートル程度からかなり狭い幅まで、実施可能である。他方、前記の切込み開口幅を、イカ針の傘状の針部より大きくして、切込みの内側に針保持する場合は、開口幅を２０ミリメートル以上で実施する。前記の切込みに連続して設けられる狭幅スリットは、前記の切込みの大小に関係無く、奥行き；数ミリメートル、最奥部の幅；１ミリメートル程度、針の保持と離脱をし易くするため、前記切込みの奥に滑らかに連続させて設ける。ちなみに、一般に使用されるハリスは、直径０．３ミリメートルないし０．９ミリメートルで、針結び目は、使用するハリスの直径のほぼ４倍である。従って、前記狭幅スリット最奥部の幅を１ミリメートルとすると、一般に使用されるハリスは自由に通過し、かつ、針結び目の通過は阻むこととなる。
【００１４】し掛けの投入は、２種類に大別することができる。一般に、エサ針は、エサ落ちを嫌って船べり近くに優しく投入され、イカ針やギジ針は、エサを使用しないため遠投が好まれる。エサ針の投入は、重りの落下力に引かれて、針と糸、連結金具なとが、最少の衝撃で、該収納台から滑り落ちるように離脱する必要がある。本発明の針保持部を有する釣りし掛け収納台は、前記狭幅スリット上縁が、基台の船べり外側方向に下り勾配に設けられる程、連結金具なとが滑らかに離脱し易く、エサ落ちが無い投入が可能になる。他方、し掛け遠投時は、針が、重りの飛翔力に引かれて、針保持部から最少の抵抗で離脱する必要がある。本発明の針保持部を有する釣りし掛け収納台は、前記切込みまたは前記狭幅スリットの下縁が、基台の船べり外側方向に上り勾配にされる程、針の離脱抵抗が小さく、ハリス切れが無い遠投が可能になる。以上を纏めると、本発明の針保持部を有する釣りし掛け収納台は、前記狭幅スリット上縁を船べり外側方向に下り勾配にし及び／又は前記切込みまたは前記狭幅スリットの下縁を船べり外側方向に上り勾配にすることが好ましい。
【００１５】イカし掛けの遠投は、重りを、釣りし掛け収納台上方から、船べり外側方向に投入する。しかし、イカし掛けは、通常、針と針の間隔は１メートル以上あるが、重りに最も近い針に繋がる糸は、数１０センチメートル以下で、釣り人は重りを投入しずらく、また、重りが高く投げ上げられると、針との間で緊張して切れる等し易い。本発明の針保持部を有する釣りし掛け収納台は、重りと重りに最も近い針を一緒に持って投入することによって、前記の問題を解消する。前記の投入方法は、投入時の糸の余裕が１メートル以上になる為、投入しずらさを解消し、かつ、前記の糸の緊張は、重りが船べり外側に飛行した後の緊張となり、むしろ、針を前方に離脱させる。つまり、本発明の針保持部を有する釣りし掛け収納台は、イカ針を掛け易くかつ離脱し易くする為に、前記切込みまたは前記狭幅スリットの下縁を船べり外側方向に上り勾配にすることと、重りと重りに最も近い針を一緒に持って投入することを併せて、イカ針遠投時の問題を、より優れて解決する。
【より優れて課題１と課題２を解決する為の手段１】
【００１６】本発明の針保持部を有する釣りし掛け収納台は、前記基台または前記帯状の板が充分な厚みを与えられ、前記基台または前記帯状の板に設けられた前記狭幅スリットの上縁が基台の船べり外側方向に下り勾配にされ及び／又は前記基台または前記帯状の板に設けられた前記狭幅スリットの下縁が基台の船べり外側方向に上り勾配にされることが可能になる。前記狭幅スリットの上縁が基台の船べり外側方向に下り勾配にされている場合、連結金具や糸の結び目は、該狭幅スリット上縁を滑らかに滑り落ち、よりエサ落ちが無い投入を可能にする。また、前記狭幅スリットの下縁が基台の船べり外側方向に上り勾配にされている場合、ぶら下げ保持された針は、重りが上方に投げ上げられても、該狭幅スリット下縁を離脱し易く、よりハリス切れが無い遠投が可能である。以上の解決策は、帯状の板を倒立させる必要が無く、かつ、ぶら下げられた針の何れも、ハリス切れが無い遠投が可能になる。以上は、作業が簡単、且つ、前記特願２００２−３８３０８５の優れた機能を損なわずに、より優れて、課題１と課題２を解決する。
【より優れて課題１と課題２を解決する為の手段２】
【００１７】本発明の針保持部を有する釣りし掛け収納台は、前記の切込み又は狭幅スリットを有する帯状の板が、基台の船べり外側方向に下り勾配にされることと基台上面方向に立てられることの何れかを選択可能にする手段を設けることが可能である。前記帯状の板が、船べり外側方向に下り勾配にされた場合は、よりエサ落ちが無い滑らかな投入が可能になり、前記基台上面方向に立てられた場合は、よりハリス切れが無いイカ針の遠投が可能になる。つまり、前記帯状の板を倒立させることを選択可能にする手段を付加することによって、前記特願２００２−３８３０８５の優れた機能を損なわずに、より優れて、課題１と課題２を解決する。
【より優れて課題１と課題２を解決する為の手段３】
【００１８】
【００１３】項に於いて、本発明の針保持部を有する釣りし掛け収納台は、三方を囲む壁が省略可能になる結果、切込み開口幅を小さくして密に設けることが可能で、針保持の自由度が改善できることを記した。その実施例の一つであるが、本発明の針保持部を有する釣りし掛け収納台は、船べり上面に取付ける基台の船べり外側を向く一端または前記一端に設けられた帯状の板の船べり外側を向く一端に、船べり外側方向を向く先端が細くされた棒状の突起が設けられて、課題１と課題２を解決する。前記の棒状の突起は、前記狭幅スリット最奥部の幅と同じ程度の幅で設けることによって、前記の切込みに連続する狭幅スリットを設ける場合と同じ形状を形成し、かつ、同し役割を担うことが可能になる。前記の棒状の突起の先端は、イカ針の保持とハリスを狭幅スリット最奥部へ誘導する役割を兼ね、かつ、棒状の突起のつけ根は、イカ針以外の針をぶら下げ保持する役割を担う。また、更に、前記の棒状の突起は、柔軟性を有する素材を用いることによって、エサ針投入時は、重りの落下力によって、船べり外側方向に下り勾配にされ、イカ針遠投時は、船べり外側方向に上り勾配にされることが可能にされ、より抵抗が少ないし掛けの投入を可能にする。以上の解決手段は、前記特願２００２−３８３０８５の優れた機能を損なわずに、より優れて、課題１と課題２を解決する。尚、前記の棒状の突起は、直径または断面の縦横；２ミリメートルないし数ミリメートル、長さ；１０ミリメートルないし３０ミリメートル程度が望ましいが、素材の剛性等によって決まる。前記素材は、プラスチックやゴム系の素材が採用可能であるが、近年、形状記憶素材等、優れた素材が提供され始めている。
【より優れて課題１と課題２を解決する為の手段４】
【００１９】本発明の針保持部を有する釣りし掛け収納台は、船べり上面に取付ける基台の船べり外側を向く一端または前記一端に設けられた帯状の板の船べり外側を向く一端に、船べり外側方向を向く植毛がされて、より優れて、課題１と課題２を解決する。
【００２０】前記の植毛は、イカ針の傘状の針部が、該植毛の先端に喰い込む形で針保持することを可能にする。前記の針保持は、強い針保持力、そして、強い糸の張力を生み、針保持と糸保持の連続動作を可能にする。また、前記の針保持は、重りが高く投げ上げられた場合、該針部が、植毛の先端に反発されて浮き上がりつつ、該植毛の隙間をすり抜ける為、ハリス切れが無い遠投を可能にする。上記解決策は、課題１と課題２を解決する。尚、上記解決策は、前記特願２００２−３８３０８５針保持部では可能であった、イカ針以外の針保持を不可能にするが、その他の優れた機能は損なうことが無く、イカ直結式し掛けとブランコ式し掛けに、対応自在な、優れた釣りし掛け収納台を提供する。
【課題３を解決するための手段】
【００２１】し掛けをセットした状態の釣りし掛け収納台は、針が外れ易く、危ない。本発明の針保持部を有する釣りし掛け収納台は、基台下方に針が突出することが無い為、針保持部のコンパクトな保護カバーの製作が可能になる。前記保護カバーは、針セット済みの針保持部の上面と船べり外側、左右の４面、或いは、下面を加えた５面を保護する形状にして針保持部を保護し、更に、余り糸を一括保持するクリップと、該クリップと前記保護カバーを連結可能にするロープを付加して、該基台下部で緊縛するなどして、針と糸を保護する。以上によって、本発明の針保持部を有する釣りし掛け収納台は、安全な移動や保管が可能にされ、課題３を解決する。
【００２２】以上によって、本発明の針保持部を有する釣りし掛け収納台は、前記特願２００２−３８３０８５が必要とした、三方を囲む壁を省略可能にし、且つ、前記特願２００２−３８３０８５の優れた機能を損なうこと無く、課題１，２，３を解決することを可能にする。
【発明の効果】
【００２３】本発明の針保持部を有する釣りし掛け収納台は、同一の釣りし掛け収納台による、形状様々な針保持、針を直接持たない安全な作業、針保持と糸保持が連続動作で簡単、船べり外側の安全保持、エサ落ちしない滑らかな投入、重りの投入角度が高く無いイカ針遠投、等に加えて
【効果１】
接触トラブルが無いイカ針保持
【効果２】
ハリス切れが無いイカ針の遠投
【効果３】
釣りし掛け収納台にし掛けをセットした状態の、安全な保管と移動
【効果４】
よりコンパクトな針保持部の構成
を可能にし、より優れた、汎用釣りし掛け収納台を提供する。
【発明を実施するための最良の形態】
【００２４】図１は、釣りし掛けの全体概略図である。図２は、前記特願２００２−３８３０８５の針保持部に、図１の釣りし掛けがセットされた状態を説明する斜視図である。尚、図２の二点鎖線は、遠投時のハリス切れトラブルとぶら下げられた直結し掛けのイカ針接触トラブル、つまり、課題１と課題２の発生状況の説明をしている。図３Ａは、本発明の針保持部を有する釣りし掛け収納台の第一実施例の部分拡大斜視図である。図３Ｂは、前記第一実施例に、イカ針がセットされかつ離脱する状態を説明する斜視図である。図３Ｃは、本発明の第一実施例の針保持部を有する釣りし掛け収納台に、イカ針がセットされた状態を説明する全体斜視図である。イカ針は基台上面に並列保持され、糸は糸保持部コロ側面に、秩序よく保持されている。図４Ａは、本発明の針保持部を有する釣りし掛け収納台の第二実施例の部分拡大斜視図である。図４Ｂは、前記第二実施例に、図１のし掛けがセットされた状態を説明する斜視図である。また、図４Ｂは、イカ針がハリス切れすること無く遠投される状態の説明を兼ねている。図４Ｃは、前記第二実施例が、帯状の板を設けずに、直接、前記基台に実施された状態を説明する斜視図である。図５Ａは、本発明の針保持部を有する釣りし掛け収納台の第三実施例を上方から見た部分拡大斜視図である。また、図５Ａは、切込みにイカ針が掛けられている状態の説明を兼ねている。図５Ｂは、前記第三実施例を下方から見た部分拡大斜視図で、狭幅スリット最奥部下縁にエサ針がぶら下げ保持されている状態の説明を兼ねている。図５Ｃは、前記第三実施例の狭幅スリットを切断面とした断面図で、連結金具が狭幅スリット上縁の下り勾配を滑り下りる状態の説明を兼ねる。図５Ｄは、図５Ｃと同じ断面図であり、遠投時のギジ針が、狭幅スリット下縁の上り勾配を離脱する状態を説明する。図５Ｅは、図５Ｃと同じ断面図であり、遠投時のブランコ式イカ針が、狭幅スリット下縁の上り勾配を離脱する状態を説明する。図５Ｆは、第三実施例に、図１の釣りし掛けをセットした状態の斜視図である。また、図５Ｆは、遠投時のイカ針離脱状態の説明を兼ねる。図５Ｇは、前記第三実施例が、帯状の板を設けすに、直接、前記基台に実施された状態を説明する斜視図である。図６Ａは、本発明の針保持部を有する釣りし掛け収納台の第四実施例で、帯状の板が基台の船べり外側方向に下り勾配にされている斜視図である。また、図６Ａは、エサ針とギジ針のぶら下げ保持およびエサ針の滑らかな離脱状態の説明を兼ねている。図６Ｂは、前記第四実施例の帯状の板が基台上面方向に立てられている状態を説明する斜視図である。また、図６Ｂは、イカ針の基台上面保持と遠投時の離脱状態の説明を兼ねている。図７Ａは、本発明の針保持部を有する釣りし掛け収納台の第五実施例の部分拡大斜視図である。図７Ｂは、前記第五実施例の斜視図である。図８は、本発明の針保持部を有する釣りし掛け収納台の第六実施例の斜視図である。図９Ａは、本発明の針保持部を有する釣りし掛け収納台の保護具を示す、全体斜視図である。図９Ｂは、前記保護具によって、し掛けセット状態の本発明の釣りし掛け収納台が保護されている状態を説明する全体斜視図である。【００２５】図１は、釣りし掛け図であるが、説明のため、種類が異なる針によって構成されている。長軸のイカ針１１は、針の上下に仕掛け糸７ａが繋がれて居り、直結式と呼ばれている。その他の針８，９，１０は、ハリス７ｂによって吹流し状に、し掛け糸７ａに連結されて居り、この場合のイカ針１０は、ブランコ式と呼ばれている。尚、実際に用いられるし掛けは、同じ種類の針が、複数連結されているのが一般的である。【００２６】図２は、前記特願２００２−３８３０８５の針保持部に、図１のし掛けがセットされた状態を説明する斜視図である。二点鎖線で示されているイカ針は、何れも、ぶら下げ保持されて居り、左側のブランコ式イカ針１０のハリス７ｂは高く投げ上げられた重り１２と針１０の間で緊張して切れて居り、課題２の発生状況を説明している。また、２本の直結式イカ針１１は、互いに接触して居り、課題１の発生状況を説明している。他方、イカ針以外の針は、互いに接触すること無く、ぶら下げ保持されている。
【実施例１】
【００２７】本発明の針保持部を有する釣りし掛け収納台は、船べり上面に取付ける基台の船べり外側を向く一端または前記一端に設けられた帯状の板の船べり外側を向く一端に、内側に向かって狭幅となる切込みが複数設けられ、課題１と課題２を解決する。以下に、第一実施例の一つとして説明する。【００２８】図３Ａは、前記第一実施例で、帯状の板４を設ける場合の部分拡大図である。前記基台の幅は、３００ミリメートル程度ないし１０００ミリメートル程度とし、該基台下部に設ける万力等で、船べりに固定する。前記の切込み５は、Ｖ字型又は外膨らみ型又は内膨らみ型とし、前記帯状の板４の船べり外側を向く一端に、互いに近接させて設け、該切込み開口部の先縁を、厚さ；３ミリメートル以内かつ角を取るなとして、イカ針を掛け易くかつ離脱し易い形状にして設ける。尚、図３Ａの左側に示されている切込み５は、開口幅が広く、切込みの内側にイカ針を保持することが可能で、右側に示されている切込みは、開口幅が狭く、切込みの先端にイカ針を保持することが可能なことを示している。第一実施例の、幅が広い切込みは、開口幅が２０ミリメートル乃至７０ミリメートル程度、他方、幅が狭い切込みは、開口幅が１０数ミリメートル以下であれば、かなりの狭い幅でも実施可能である。【００２９】図３Ｂは、前記第一実施例の斜視図である。前記切込みは、帯状の板４のほぼ幅一杯に、開口部が、互いに近接させて設けられる。直結式とブランコ式、何れの場合も、イカ針保持は、傘状の針部を切込みの内側または先端に掛ける簡単な方法であり、離脱もし易い。【００３０】図３Ｃは、本発明の第一実施例の針保持部を有する釣りし掛け収納台で、イカ釣りし掛けがセットされた状態を説明している。船べり１上面に取付けられた基台２の船べり外側を向く一端に設けられた帯状の板４の船べり外側を向く一端に、内側に向かって狭幅となる切込み５が複数設けられて、イカ針１０，１１の傘状の針部が掛けられ、互いに触れること無く、基台２上面に並列保持される。尚、し掛け糸７ａやハリス７ｂは、基台２の船べり内側を向く一端に設けられている糸保持コロ側面つまり円筒状回転体１６の側面に、糸を張って挟持される。前記糸保持部は、摩擦と弾性が大きい円盤状回転体１４、摩擦と弾性が小さい円盤状回転体１５、摩擦と弾性が小さい円筒状回転体１６から成り、糸保持部が回転する事によって滑らかな離脱を可能にし、かつ、前記円盤状回転体１４と前記円筒状回転体１６の間に挟持する場合はしっかりした保持、前記円盤状回転体１５と前記円筒状回転体１６の間に挟持する場合は軽い保持を自在に選べる。また、糸保持部は、コの字型アーム２０によって一体化して居り、取付けシャフト２１の取付け穴２２を選んで移動することが可能である。前記の糸保持部の移動は、し掛け糸７ａやハリス７ｂの長短に対応可能で、余り糸同士がからむのを防ぐことができる。また、図３Ｃは、【００１５】項に記載した、重り１２と重りに最も近い針１０を一緒に持って投入する方法の説明を兼ねている。以上によって、本発明の針保持部を有する釣りし掛け収納台は、し掛けを順序良く保持し、かつ、重りが遠投されても、順序良く離脱し、課題を解決する。
図３Ｃの糸保持部は、本発明の針保持部を有する釣りし掛け収納台が、採用可能な糸保持部の実施例の一つであるが、糸を挟持するタイプであれば、その他の方法も採用可能である。以下に記載する実施例に於いては、糸保持部の詳細な説明を省略する。
【実施例２】
【００３１】本発明の針保持部を有する釣りし掛け収納台は、前記の複数の切込みに連続して狭幅スリットが設けられて、より汎用性に優れた状態で、課題１と課題２を解決する。以下に、第二実施例の一つとして説明する。【００３２】図４Ａは、本発明の第二実施例で、帯状の板４を設ける場合の部分拡大図である。第一実施例で設けられた複数の切込みと同様の切込み５が設けられ、かつ、該切込みに連続して狭幅スリット６が設けられる。前記の狭幅スリット６は、切込みの開口幅に関係なく、最奥部の幅；１ミリメートル程度、奥行き；数ミリメートル程度とし、連結金具１３なとが該狭幅スリット上縁を離脱し易いよう最短、かつ、ハリスが該狭幅スリット最奥部に誘導され易いよう、前記切込み５に滑らかに連続させて設ける。【００３３】図４Ｂは、前記第二実施例で、図１のし掛けがセットされた状態を説明している。釣り人は、ブランコ式と直結式、何れのイカ針１０，１１も、ハリスを持ってぶら下げ、半開きの傘状の針部を前記切込み５に掛け、別に設けられている糸保持部に糸を挟持すると、針は、互いに触れること無く、基台上面に並列して保持される。同様に、イカ針以外の針８，９は、切込み５に連続して設けられている狭幅スリット６にハリスを誘導すると、針の結び目で通過が阻まれ、狭幅スリット６最奥部下縁にぶら下げ保持される。投入時のイカ針１０，１１は、針保持を担う切込み５が、針の離脱方向に広く開口しているため、飛行する重り１２に引かれて、ハリス切れすること無く離脱する。また、イカ針以外の針８，９は、狭幅スリット６上縁が、数ミリメートル程度と短くかつほぼ水平であるため、落下する重り１２の勢いだけでも、連結金具等は、該狭幅スリット６上縁に阻まれること無く離脱する。上記の第二実施例は、前記特願２００２−３８３０８５の優れた機能を損なわずに、課題１と課題２を解決する。【００３４】図４Ｃは、帯状の板４を設けずに、直接、前記基台２の船べり外側を向く一端に、本発明の第二実施例を実施した場合の部分拡大図である。尚、図４Ｃの切込みは、開口幅が狭く、イカ針を切込みの先端に保持している。また、前記狭幅スリットは、切込みの大小に関係なく、【００１３】項記載の形状として、イカ針以外の針を該狭幅スリット最奥部下縁にぶら下げ保持する。上記の帯状の板４を設けない第二実施例の場合も、前記特願２００２−３８３０８５の優れた機能を損なわすに、課題１と課題２を解決する。
【実施例３】
【００３５】本発明の針保持部を有する釣りし掛け収納台は、前記基台または前記帯状の板が充分な厚みを与えられて、前記狭幅スリット上縁が基台の船べり外側方向に下り勾配にされていること及び／又は前記狭幅スリット下縁が基台の船べり外側方向に上り勾配にされていることを可能にして、より優れて、課題１と課題２を解決する。以下に、第三実施例の一つとして説明する。【００３６】図５Ａは、前記第三実施例の針保持部上面の部分拡大図である。第三実施例は、帯状の板４が厚みを与えて設けられて、狭幅スリット６の上縁に、Ｖ字谷状の斜面１８が設けられ、該狭幅スリット６上縁が、船べり外側方向に下り勾配２７にされる。船べり外側方向に下り勾配にされている狭幅スリット上縁は、連結金具の離脱をよりし易くし、エサ落ちが無い投入を可能にする。【００３７】図５Ｂは、前記第三実施例の針保持部下面の部分拡大図である。第三実施例は、帯状の板４が厚みを与えて設けられて、斜面１９が設けられ、狭幅スリット６下縁が、船べり外側方向に上り勾配２８にされる。船べり外側方向に上り勾配にされている狭幅スリット下縁は、し掛け遠投時、重りが高く投げ上げられた場合も、ぶら下げ保持されている針をより離脱し易くし、ハリス切れが無い遠投を可能にする。【００３８】図５Ｃは、前記第三実施例の狭幅スリット６上縁を、連結金具１３が離脱する状態を説明している。連結金具１３は、狭幅スリット６上縁が船べり外側方向に下り勾配２７にされている為、該狭幅スリット６上縁を滑らかに離脱する。つまり、第三実施例は、エサ落ちが無い投入を可能にする。【００３９】図５Ｄは、前記第三実施例の、遠投時のギジ針の離脱を説明している。図５Ｂに示されているように、ギジ針は、狭幅スリット６最奥部下縁に互いに触れること無くぶら下げ保持することができる。また、ギジ針８は、重りが高く投上げられた場合、前記狭幅スリット６の下縁が針の離脱方向に上り勾配に設けられている為、前記第一実施例よりも、より離脱し易い、つまり、第三実施例は、ギジ針の、ハリス切れが無い遠投を可能にする。【００４０】図５Ｅは、前記第三実施例の、遠投時のイカ針１０の離脱を説明している。イカ針は、重りが高く投上げられた場合、前記狭幅スリット６下縁が、針の離脱方向に上り勾配に設けられている為、前記第一実施例よりも、より離脱し易い。【００４１】図５Ｆは、前記第三実施例で、釣りをする際、様々な針がセットされた状態、及び、直結式とブランコ式イカし掛けが離脱する際の斜視図である。イカ針１０，１１は互いに接触すること無く保持され、また、糸切れすること無く離脱する。以上、第三実施例は、帯状の板３を倒立させる必要が無く、かつ、前記特願２００２−３８３０８５の優れた機能を損なわずに、課題１と課題２を解決する。【００４２】図５Ｇは、帯状の板４を設けずに、直接、前記基台の船べり外側を向く一端に、本発明の第三実施例を実施した場合の斜視図である。図５Ｇによって得られる機能は、図５Ｆと全く同様である。【００４３】前記切込み５と前記狭幅スリット６を構成する素材は、狭幅スリット上面を連結金具１３や糸結び目が通過し易くする為、摩擦係数が小さい硬質プラスチックやステンレスを用いることが望ましい。前記狭幅スリット上縁の勾配２７は、マイナス１０度以上、前記切込みまたは前記狭幅スリット下縁の勾配２８は、プラス２０度以上にすると、針や連結金具の離脱抵抗が少なく、滑らかな針の離脱が得られる。
【実施例４】
【００４４】本発明の針保持部を有する釣りし掛け収納台は、前記の切込み又は狭幅スリットを有する帯状の板が、基台の船べり外側方向に下り勾配にされることと基台上面方向に立てられることの何れかを選択可能にする手段が設けられて、より優れて、課題１と課題２を解決する。以下に、第四実施例の一つとして説明する。【００４５】図６Ａは、前記第四実施例で、帯状の板４を設ける場合の実施例で、該帯状の板４が、船べり外側方向に下り勾配２７にされた状態を説明している。図６Ａは、イカ針以外の針８，９を用いる釣りを行なう場合で、釣り人が、ハリスを持って、前記切込み５に連続して設けられている狭幅スリット６にハリス７ｂを誘導すると、針は、針結び目で通過が阻まれ、前記狭幅スリット６最奥部下縁に、ぶら下げ保持される。し掛け投入時は、右側のエサ針９によって示されているように、前記帯状の板３が、船べり外側に向かって下り勾配にされている為、連結金具１３は、狭幅スリット６上縁を滑らかに離脱する。つまり、よりエサ落ちが無い投入が可能にされる。【００４６】図６Ｂは、前記第四実施例で、前記の帯状の板４が、基台上面方向に立てられた状態である。釣り人は、直結式し掛けとブランコ式し掛けに拘わらず、イカ針後端に結ばれているハリスを持ってぶら下げ、イカ針前端の傘状の針部を前記切込みに掛けた後、ハリスを張りながら、前記基台の船べり内側に向かう一端に平行して設けられた糸保持部に挟持する。結果、イカ針は、基台上面で、互いに触れること無く、並列して保持される。該イカ針は、上方に開口する該切込みに掛けられ、重りの投入角度が高い場合でも、離脱し易く、ハリス切れが無い遠投を可能にする。前記の帯状の板を倒立させることを選択可能にする手段は、前記基台２と前記帯状の板を蝶番１７で連結し、かつ、該蝶番の回転軸を、ローターまたは蝶ネジを伴うネジタイプとする。釣り人は、該ローターを緩めて、前記帯状の板４を必要な勾配に調整し、該ローターまたは蝶ネジを締めて固定する。第四実施例は、前記の帯状の板４を倒立させることによって、重りが高く投上げられた場合も、イカ針がより離脱し易く、かつ、前記特願２００２−３８３０８５の優れた機能を損なわずに、課題１と課題２を解決する。
【実施例５】
【００４７】
【００１３】項に於いて、本発明の針保持部を有する釣りし掛け収納台は、三方を囲む壁が省略可能になる結果、前記の切込み開口幅を小さくして密に設けることが可能で、針保持の際の自由度が改善できることを記した。本発明の針保持部を有する釣りし掛け収納台は、船べり上面に取付ける基台の船べり外側を向く一端に設けられた帯状の板の船べり外側を向く一端に、船べり外側方向を向く先端が細くされた棒状の突起が配列されて、より優れて、課題１と課題２を解決する。以下に、第五実施例の一つとして説明する。【００４８】図７Ａは、第五実施例の部分拡大図である。第五実施例は、前記の先端を細くされた棒状の突起２９を、前記狭幅スリット最奥部の幅と同じ程度の幅で、好ましくは等間隔に配列する。前記の棒状の突起２９は、前記の第二実施例に記載した、切込みに連続する狭幅スリットを設ける場合と同じ形状が形成されて、同じ役割を担うことが可能になる。【００４９】図７Ｂは、第五実施例の斜視図である。前記の棒状の突起が細くされた部分は、前記の切込み５の役割を担い、棒状の突起のつけ根は、前記の狭幅スリット６最奥部の役割を担う。また、更に、前記の棒状の突起は、柔軟性を有する素材を用いることによって、エサ針投入時には、重りの落下力によって、船べり外側方向に下り勾配にされ、イカ針遠投時には、船べり外側方向に上り勾配にされることが可能にされ、より抵抗が少ないし掛けの投入を可能にする。以上、第五実施例は、より簡単、かつ、前記特願２００２−３８３０８５の優れた機能を損なわずに、課題１と課題２を解決する。尚、前記の棒状の素材は、太さ；２ミリメートルないし数ミリメートル、長さ；１０ミリメートルないし３０ミリメートル程度が望ましいが、素材の柔軟性等によって決まる。
【実施例６】
【００５０】本発明の針保持部を有する釣りし掛け収納台は、船べり上面に取付ける基台の船べり外側を向く一端に設けられた帯状の板の船べり外側を向く一端に、船べり外側方向を向く植毛がされて、より優れて、課題１と課題２を解決する。以下に、第六実施例の一つとして説明する。【００５１】図８は、第六実施例の部分拡大図である。前記の植毛３０は、帯状の板４のほぼ幅一杯に設け、植毛の毛先の幅；１５ミリメートル程度、毛足の長さ；１０ミリメートルないし２０ミリメートル、固めのハブラシ程度の剛性および植毛密度とする。実際的には、直径；０．４ミリメートルないし０．６ミリメートルのナイロン  フィラメント等が採用可能である。以上は、課題１と課題２を、より優れて解決する。上記解決策は、前記特願２００２−３８３０８５針保持部では可能であった、イカ針以外の針保持を不可能にするが、その他の優れた機能は損なうこと無い。つまり、イカ直結式し掛けとブランコ式し掛けに対応自在な、従来に無い、優れた釣りし掛け収納台を提供する。【００５２】以上、記した本発明の針保持部を有する釣りし掛け収納台は、【００４９】項で既述した第五実施例と【００５１】項で既述した第六実施例を除いて、前記切込みと前記狭幅スリットを構成する素材は、摩擦係数が小さい硬質プラスチックやステンレスを用いることが望ましい。結果、狭幅スリット上面を、連結金具や糸結び目が通過し易く、かつ、耐久性と変形に強い構造を得ることができる。
【針保持部保護具の実施例】
【００５３】本発明の釣りし掛け収納台の針保持部保護具の一実施例を説明する。図９Ａは、前記実施例の全体斜視図である。本発明の前記保護具実施例は、針保持部の上面と船べり外側、及び、左右の４面、或いは、下面を加えた５面を保護する、保護カバー２３と、該保護カバーに連結するロープ２４と、余り糸を一括保持するためのクリップ２５によって構成される。
【００５４】図９Ｂは、し掛けがセットされた状態の本発明の前記保護具実施例を説明している。本発明の針保持部を有する釣りし掛け収納台は、針保持部が、前記保護カバーの船べり内側を向いて空いている面から挿入され、更に、余り糸が、前記クリップによって一括保護されて、安全な移動や保管を可能にされる。尚、本来、クリップ２５に連結するロープ２４は、基台下部で緊縛する等して、しっかりと余り糸を保護するが、図９Ｂでは、余り糸がややたるんだ状態で説明されている。前記ロープを伸縮可能なゴム素材にする場合は、該ロープを緊縛する操作を不要にする事も可能である。以上、本発明の前記保護具実施例は、課題３を解決する。
【００５５】以上、発明の実施の形態について述べたが、この実施の形態に限定されること無く、変形例も本発明の範囲に包含される。
【図面の簡単な説明】
【００５６】
【図１】図１は、釣りし掛け概略図である。
【図２】図２は、前記特願２００２−３８３０８５針保持部に、図１のし掛けがセットされた状態、および、課題１と課題２を説明する斜視図である。
【図３Ａ】図３Ａは、第一実施例の部分拡大斜視図である。
【図３Ｂ】図３Ｂは、第一実施例にイカ針をセットした状態で、遠投時の針離脱状態の説明を兼ねる。
【図３Ｃ】図３Ｃは、第一実施例の針保持部を有する釣りし掛け収納台に、イカ針をセットした状態の全体斜視図である。
【図４Ａ】図４Ａは、第二実施例の帯状の板を設ける場合の、部分拡大斜視図である。
【図４Ｂ】図４Ｂは、前記第二実施例に、図１の釣りし掛けをセットした状態で、遠投時のイカ針離脱状態の説明を兼ねる。
【図４Ｃ】図４Ｃは、第二実施例の帯状の板を設けない場合の、斜視図である。
【図５Ａ】図５Ａは、第三実施例の帯状部分上面の部分拡大斜視図である。
【図５Ｂ】図５Ｂは、第三実施例の帯状部分下面の部分拡大斜視図である。
【図５Ｃ】図５Ｃは、第三実施例の断面図で、連結金具の離脱を説明する。
【図５Ｄ】図５Ｄは、前記断面図に於ける、遠投時のギジ針の離脱を説明する。
【図５Ｅ】図５Ｅは、前記断面図に於ける、遠投時のイカ針の離脱を説明する。
【図５Ｆ】図５Ｆは、第三実施例に、図１の釣りし掛けをセットした状態、および、遠投時のイカ針の離脱状態を説明する。
【図５Ｇ】図５Ｇは、第三実施例の帯状の板を設けない場合の、斜視図である。
【図６Ａ】図６Ａは、第四実施例で、帯状の板が下り勾配にされ、イカ針以外の針保持と離脱を説明する斜視図である。
【図６Ｂ】図６Ｂは、第四実施例で、帯状の板が立てられた状態で、イカ針の保持と離脱を説明する斜視図である。
【図７Ａ】図７Ａは、第五実施例の部分拡大斜視図である。
【図７Ｂ】図７Ｂは、第五実施例に、図１の釣りし掛けをセットした状態を説明する斜視図である。
【図８】図８は、第六実施例の斜視図である。
【図９Ａ】図９Ａは、針保持部保護具の全体斜視図である。
【図９Ｂ】図９Ｂは、前記保護具をセットした状態の全体斜視図である。
【符号の説明】
【００５７】１．  船べり
２．  基台
３．  基台の船べり外側を向く一端
４．  帯状の板
５．  切込み
６．  狭幅スリット
７ａ．し掛け糸
７ｂ．ハリス
８．  ギジ針
９．  エサ針
１０．ブランコ式イカ針
１１，直結式イカ針
１２，重り
１３．連結金具
１４，摩擦と弾性が大きい円盤状回転体
１５，摩擦と弾性が小さい円盤状回転体
１６．摩擦と弾性が小さい円筒状回転体
１７．固定ネジが付加された蝶番
１８．Ｖ字谷状斜面
１９．斜面
２０．コの字型アーム
２１，取付けシャフト
２２，取付け穴
２３．保護カバー
２４．連結ロープ
２５．クリップ
２６．基台上面を示す線
２７．狭幅スリット上縁の勾配を示す線
２８．狭幅スリット下縁の勾配を示す線
２９．棒状突起
３０．植毛
【図１】
2006042773.tif 000003
【図２】
2006042773.tif 000004
【図３Ａ】
2006042773.tif 000005
【図３Ｂ】
2006042773.tif 000006
【図３Ｃ】
2006042773.tif 000007
【図４Ａ】
2006042773.tif 000008
【図４Ｂ】
2006042773.tif 000009
【図４Ｃ】
2006042773.tif 000010
【図５Ａ】
2006042773.tif 000011
【図５Ｂ】
2006042773.tif 000012
【図５Ｃ】
2006042773.tif 000013
【図５Ｄ】
2006042773.tif 000014
【図５Ｅ】
2006042773.tif 000015
【図５Ｆ】
2006042773.tif 000016
【図５Ｇ】
2006042773.tif 000017
【図６Ａ】
2006042773.tif 000018
【図６Ｂ】
2006042773.tif 000019
【図７Ａ】
2006042773.tif 000020
【図７Ｂ】
2006042773.tif 000021
【図８】
2006042773.tif 000022
【図９Ａ】
2006042773.tif 000023
【図９Ｂ】
2006042773.tif 000024